(57)【要約】【課題】物体の亀裂を補修する工具を提供する。【解決手段】本願の工具は、物体の表面に貼付するための排気膜、排気膜と貼合するための押し引きチャック３１及び亀裂状態を制御するための亀裂コントローラを含み、排気膜が亀裂の箇所に位置し、且つ充填液を亀裂内に密閉させ、亀裂コントローラは圧力を検出するための検出器１３及び物体の表面に当接または接続するための工具ヘッド１４を含み、検出器１３の検出端が着脱可能に工具ヘッド１４と接続される。このように設置すれば、直感的なデータにより力及び精度制御を表示させ、効果的に、正確に物体の亀裂状態を制御でき、大幅に作業強度を低減させかつ大幅に作業効率を向上させ、亀裂の空気排出に寄与し、さらに物体の表面の亀裂処理のレベル及び品質を向上させることができる。【選択図】図１
2020049645.tif 000002
【特許請求の範囲】
【請求項１】
物体の表面に貼付するための排気膜（２）と、
前記排気膜（２）と貼合するための押し引きチャック（３１）と、
亀裂状態を制御するための亀裂コントローラと、を含む、物体の表面亀裂を補修する工具であって、
前記排気膜（２）が亀裂の箇所に位置し、充填液を前記亀裂内に密閉させ、
前記亀裂コントローラは、圧力を検出するための検出器（１３）及び物体の表面に当接や接続するための工具ヘッド（１４）を含み、
前記検出器（１３）の検出端が着脱可能に前記工具ヘッド（１４）と接続されることを特徴とする工具。
【請求項２】
前記亀裂コントローラはさらに支持ホルダ（１１）及び伸縮部材（１２）を含み、
前記検出器（１３）が前記伸縮部材（１２）に接続され、前記検出器（１３）と前記伸縮部材（１２）の一方が前記工具ヘッド（１４）に接続され、他方が前記支持ホルダ（１１）に接続され、
前記伸縮部材（１２）の長さを調節することによって、前記工具ヘッド（１４）を前記支持ホルダ（１１）にたいして移動させ、
前記支持ホルダ（１１）が固定脚（１５）を有し、前記固定脚（１５）が前記工具ヘッド（１４）から離れることを特徴とする請求項１に記載の工具。
【請求項３】
さらに充填液が充填された亀裂を加熱する加熱装置を含むことを特徴とする請求項１に記載の工具。
【請求項４】
二組の前記固定脚（１５）が設置され、二組の前記固定脚（１５）のそれぞれと前記工具ヘッド（１４）との距離が等しく、
または、少なくとも２つの前記固定脚（１５）が設置され、各前記固定脚（１５）ともに前記工具ヘッド（１４）の同一側に位置し、前記固定脚（１５）から離れる方向に沿って配列されることを特徴とする請求項２に記載の工具。
【請求項５】
前記伸縮部材（１２）が前記工具ヘッド（１４）と前記検出器（１３）の間に位置し、
前記支持ホルダ（１１）上に前記伸縮部材（１２）が進入するガイドホールが設置され、
前記ガイドホールが前記固定脚（１５）の所在の平面に垂直することを特徴とする請求項４に記載の工具。
【請求項６】
前記伸縮部材（１２）が前記支持ホルダ（１１）と前記検出器（１３）の間に位置し、
前記支持ホルダ（１１）が前記固定脚（１５）に接続される支持柱（１７）、クロスメンバー（１８）及びハンドル（１９）を含み、
前記ハンドル（１９）と前記クロスメンバー（１８）の間、前記クロスメンバー（１８）と前記支持柱（１７）の間ともに関節によって接続され、
前記伸縮部材（１２）が前記クロスメンバー（１８）上に接続されることを特徴とする請求項２に記載の工具。
【請求項７】
前記伸縮部材（１２）は内管及び前記内管外に嵌設される外管を含み、
前記内管が前記外管とねじによって接続され、
前記外管の端部につまみが設置され、
前記内管及び前記外管の一方が前記検出器（１３）に接続され、他端が前記工具ヘッド（１４）または前記支持ホルダ（１１）に接続されることを特徴とする請求項２に記載の工具。
【請求項８】
前記固定脚（１５）はチャック構造に設置され、
前記固定脚（１５）にチャックスイッチ（１６）が接続され、
前記チャックスイッチ（１６）によって前記固定脚（１５）の接続状態が制御されることを特徴とする請求項２に記載の工具。
【請求項９】
前記押し引きチャック（３１）のタングにリング（３２）及び錐（３３）が接続され、
前記錐（３３）の先端が前記タングに接続されることを特徴とする請求項１に記載の工具。
【請求項１０】
前記検出器（１３）に圧力値を表示するためのディスプレイ及び圧力区間を指示するための信号識別子が設置されることを特徴とする請求項１に記載の工具。
【発明の詳細な説明】
【技術分野】
【０００１】
本願は亀裂補修の技術分野に関し、より具体的には物体の亀裂を補修する工具に関する。
【背景技術】
【０００２】
物体の表面は、衝突やチッピングによって亀裂が発生する場合が多いが、
従来技術において、亀裂を補修しようとする時に、専門業者しか補修できないほか、
従来の補修工具による亀裂補修を行う場合に注射器によって補修液を亀裂へ直接に注入する必要があるが、亀裂の隙間が微細で隙間中に空気が滞留しやすいので、補修液が亀裂の奥まで徹底的に侵入できなくなって亀裂中の大量気泡を排出できず、補修効果が低い。
【０００３】
従来の物体の亀裂に対する処理では、空気を徹底的に排出できず、ある脆弱な物体、不適切な力又は操作方法によって、亀裂範囲の増大や処理の失敗を招く。
また、作業者が長期間の練習を経て所期の効果を達することができるようになった場合でも、その作業は完全に経験に依存するものであるとともに、作業強度の増加によって作業効率が低くなる傾向があった。
【０００４】
従って、当業者にとって、亀裂の補修過程において、亀裂の空気を徹底的に排出できず、物体の亀裂状態が制御しにくいという問題を解決することは、重要な技術課題である。
亀裂の補修方法に関する先行技術としては、例えば特許文献１がある。
【先行技術文献】
【特許文献】
【０００５】
【特許文献１】特開２０１１−１６１５４４
【発明の概要】
【発明が解決しようとする課題】
【０００６】
上記の技術課題の少なくとも一部を解決するため、本願の目的は、
直感的なデータにより力及び精度制御を表示することによって、効果的に、正確に、物体の亀裂状態を制御し、
亀裂補修過程における亀裂の空気を徹底的に排出できず、物体の亀裂状態を制御しにくい、という問題を効果的に解決することができる、
物体の表面亀裂を補修する工具を提供することである。
【課題を解決するための手段】
【０００７】
本願は、物体の表面に貼付するための排気膜と、上記排気膜と貼合するための押し引きチャックと亀裂状態を制御するための亀裂コントローラを含み、
上記排気膜が亀裂の箇所に位置し、充填液を上記亀裂内に密閉させ、上記亀裂コントローラは圧力を検出するための検出器及び物体の表面に当接や接続するための工具ヘッドを含み、
上記検出器の検出端は、着脱可能に工具ヘッドと接続される、物体の亀裂を補修する工具である。
【０００８】
好ましくは、上記亀裂コントローラはさらに支持ホルダ及び伸縮部材を含み、
上記検出器は上記伸縮部材と接続され、
上記検出器と上記伸縮部材の内の一方は上記工具ヘッドと接続され、他方は上記支持ホルダと接続され、
上記伸縮部材の長さを調節することによって上記支持ホルダに対する上記工具ヘッドの移動を駆動させ、
上記支持ホルダは上記工具ヘッドから離れる固定脚を有しても良い。
【０００９】
好ましくは、さらに充填液が充填された亀裂を加熱させるための加熱装置を含んでもよい。
【００１０】
好ましくは、二組の上記固定脚が設置され、それぞれの組の上記固定脚と上記工具ヘッドとの距離が一定であり、
または、少なくとも２つの上記固定脚が設置され、それぞれの上記固定脚がいずれも上記工具ヘッドの同一側に位置し、
上記固定脚から離れる方向に沿って配列されてもよい。
【００１１】
好ましくは、上記伸縮部材が上記工具ヘッドと上記検出器の間に位置し、
上記支持ホルダ上に上記伸縮部材が進入するためのガイドホールが設置され、
上記ガイドホールは上記固定脚が位置する平面と垂直しても良い。
【００１２】
好ましくは、上記伸縮部材が上記支持ホルダと上記検出器の間に位置し、
上記支持ホルダは上記固定脚と接続される支持柱、クロスメンバー及びハンドルを含み、
上記ハンドルと上記クロスメンバーの間も、上記クロスメンバーと上記支持柱の間も関節によって接続され、上記伸縮部材がクロスメンバー上に接続されてもよい。
【００１３】
好ましくは、上記伸縮部材が内管及び上記内管外に嵌設可能な外管を含み、上記内管と上記外管とはねじによって接続され、上記外管の端部につまみが設置され、
上記内管と上記外管の一方が上記検出器と接続され、他方の端が上記工具ヘッドまたは上記支持ホルダに接続されてもよい。
【００１４】
好ましくは、上記固定脚がチャック構造に設置され、上記固定脚にチャックスイッチが接続され、上記チャックスイッチによって上記固定脚の接続状態を制御してもよい。
【００１５】
好ましくは、上記押し引きチャックのタングにリング及び錐が接続され、上記錐の先端が上記タングと接続されてもよい。
【００１６】
好ましくは、上記検出器に圧力値を表示するためのディスプレイ及び圧力区間を指示するための信号識別子が設置されてもよい。
【発明の効果】
【００１７】
本願が提供する技術手段は、以下の有益な効果を含む。  亀裂コントローラによって亀裂の状態を変更させ、亀裂内部の拡張や押圧によって空気を排出させることによって、物体の亀裂を補修する場合に亀裂の空気排出に寄与し、さらに物体の表面の亀裂処理のレベル及び品質を向上させる。
【００１８】
直感的なデータにより力及び精度制御を表示することによって、効果的に正確に物体の亀裂状態を制御し、物体の亀裂拡大、ひいては補修失敗という問題を避ける。
これにより、大幅に作業強度を低減させ、大幅に作業効率を向上させ、亀裂の空気排出に寄与し、さらに物体の表面の亀裂処理のレベル及び品質を向上させることができる。
【００１９】
以上の一般的な説明及び下記の詳細説明はただ例示的且つ解釈的なものに過ぎ、本出願を限定するものではないことは自明である。
【００２０】
下記の図面を明細書の一部として本明細書に取り込んで、本出願に該当する幾つかの実施例を示し、明細書とともに本出願の原理を解釈するために用いられる。
以下、本出願の実施例又は従来技術における技術手段をより明瞭に説明するために、実施例又は従来技術の記述にかかる図面を簡単に説明するが、当然なことながら、以下説明する図面にはただ本出願の一部実施例を例示するが、当業者にとって創造性労働をせずにこれらの図面によって他の図面が得られることは自明であろう。
【図面の簡単な説明】
【００２１】
【図１】図１はある例示的な実施例における亀裂コントローラを示す正面図である。
【図２】図２は第１の例示的な実施例における亀裂コントローラを示す正面図である。
【図３】図３は第２の例示的な実施例における亀裂コントローラを示す側面図である。
【図４】図４は第２の例示的な実施例における亀裂コントローラを示す下面図である。
【図５】図５は第３の例示的な実施例における亀裂コントローラを示す側面図である。
【図６】図６は第３の例示的な実施例における亀裂コントローラを示す上面図である。
【図７】図７は第３の例示的な実施例における排気膜を示す断面図である。
【図８】図８は第３の例示的な実施例における押し引きチャックを示す斜視図である。
【発明を実施するための形態】
【００２２】
以下例示的な実施例を図面に基づいて詳細に説明する。以下、図面を説明する場合、特に断らない限り、異なる図面中の同一数字は同一又は類似の要素を表示するものである。
本出願の全ての実施形態は以下の例示的な実施例における実施形態で限定されるものではない。逆に、それらは本出願のある側面と一致する装置または方法の例に過ぎない。
【００２３】
本具体的な実施形態では物体の表面亀裂を補修する工具を提供する。それは直感的なデータにより力及び精度制御を表示し、効果的に、正確物体の亀裂状態を制御でき、物体の亀裂拡大ひいては補修失敗の問題を避ける。これにより、大幅に作業強度を低減させかつ大幅に作業効率を向上させ、そして亀裂の空気を排出しやすく、さらに物体の表面の亀裂処理のレベル及び品質を向上させる。
【００２４】
本発明の目的、技術手段及び利点をより明らかにするために、以下本発明の技術手段を詳細に説明する。説明する実施例はただ本発明の一部の実施例であり、全ての実施例ではない。本発明中の実施例に基づき、当業者は創造的な労働をしない前提下で得られる全ての他の実施形態も本発明の保護範囲に含まれる。
【００２５】
特許請求の範囲に記載の発明は以下の実施例で一切限定されるものではない。また、以下の実施例に示される構成の全部内容は必ず特許請求の範囲に記載の発明の解決手段に必要なものではない。
【００２６】
（本発明の具体的な実施形態及び実施例）
図１−図８を参照する。本発明の具体的な実施形態では、物体の亀裂を補修する工具を提供する。
それは排気膜２、押し引きチャック３１及び亀裂コントローラを含む。
排気膜２が物体の表面の亀裂位置に貼付可能であり、亀裂を補修する場合に、補修液を亀裂内へ充填させ、排気膜２を使用して亀裂の箇所を粘着・密閉させる。
それによって補修液を亀裂内に制限させ、補修液が自身の張力によって亀裂の各隅まで侵入するとともに、一部の気泡を排出させる。
排気膜２を粘着した後、亀裂内からの気泡排出がなくなると、押し引きチャック３１を使用し、一定量の液体を押し引きチャック３１上に滴下して、押し引きチャック３１を気泡がある亀裂であって、排気膜２の直上に貼合させる。
押し引きチャック３１の尾部に力を付勢し、押し引きチャック３１の押し引きを行い、亀裂内部の補修液に対して一定の圧力差を付与させ、さらに残りの空気を排出させる。このとき、亀裂内部が比較的緻密であるので、排出できない空気が存在する場合に、亀裂コントローラで亀裂の状態を変更し、亀裂内部の拡張または押圧によって空気を排出させることにより、物体の亀裂を補修する場合に亀裂の空気排出に寄与し、さらに物体の表面の亀裂処理のレベル及び品質を向上させる。
【００２７】
亀裂コントローラは検出器１３及び工具ヘッド１４を含む。
圧力及び距離を検出するために用いられる検出器１３は固定端及び検出端を有する。
ここで、上記「圧力」とは、検出端に付勢される引張力または推力であっても良い。また、「距離」とは引張力または推力によって検出端の固定端からの変位距離である。
工具ヘッド１４が物体の表面に接続或当接され、亀裂の状態を変更するように亀裂に引張力または推力を付勢する。
工具ヘッド１４が検出器１３の検出端に接続される。工具ヘッド１４は真空チャックを含むが、当然ながら他の構造、例えば、針、ロッド、鉤等を含んでも良い。それらは、着脱可能に検出器１３の検出端に接続される。
【００２８】
このように設置すれば、直感的なデータにより力及び精度制御を表示し、効果的に、正確に物体の亀裂状態を制御でき、物体の亀裂拡大ひいては補修失敗の問題を避けることができる。
これにより、大幅に作業強度を低減させ大幅に作業効率を向上させ、亀裂の空気排出に寄与し、さらに物体の表面の亀裂処理のレベル及び品質を向上させる。
【００２９】
本実施例では、亀裂コントローラはさらに支持ホルダ１１及び伸縮部材１２を含む。
支持ホルダ１１が物体の表面と接続して固定されまたは他の支持物上に固定される。
伸縮部材１２、検出器１３及び工具ヘッド１４を支持し、伸縮部材１２が伸縮機能、即ち伸縮部材１２の長さを調節することによって伸縮する機能を有する。
【００３０】
伸縮部材１２は検出器１３と接続される。
伸縮部材１２の一端が検出器１３の固定端に接続された場合に、伸縮部材１２の他端が支持ホルダ１１に接続され、工具ヘッド１４が検出器１３の検出端に接続される。
一方、伸縮部材１２の一端が検出器１３の検出端に接続された場合に、伸縮部材１２の他端が工具ヘッド１４に接続され、検出器１３の固定端が支持ホルダ１１に接続される。
検出器１３及び伸縮部材１２の位置が変更されても、工具ヘッド１４と支持ホルダ１１の接続箇所の距離は変更されないので、伸縮部材１２の長さを調節することによって工具ヘッド１４を支持ホルダ１１に対して変位させることができる。
工具ヘッド１４が物体の表面に接続或いは当接されるので、工具ヘッド１４が変位すると物体の表面に推力或引張力を付勢し、さらに亀裂状態を制御することが可能になる。
ここでは工具ヘッド１４に検出器１３が接続されることにより、使用者は検出器１３によって工具ヘッド１４の物体の表面に対する付勢圧力の大きさ及び付勢距離を把握でき、さらに正確に付勢力の大きさ及び付勢距離を制御し、物体の亀裂拡大ひいては補修失敗の問題を避けることができる。よって、操作しやすく、大幅に作業強度を低減させ、大幅に作業効率を向上させる。
【００３１】
そして、支持ホルダ１１に固定脚１５が設置され、該固定脚１５が物体の表面に接続して固定され、または他の支持物上に固定され、支持ホルダ１１の本体に接続し支持される。
ここでは、固定脚１５が工具ヘッド１４から離れる。即ち、固定脚１５が工具ヘッド１４と離間して設置され、工具ヘッド１４が亀裂の箇所に位置する。接続する時に固定脚１５が亀裂から離れ、亀裂の二回破損が生じることを避けて、亀裂コントローラの使用安定性を向上させ、亀裂状態の制御に寄与するためである。
【００３２】
特に、まず亀裂コントローラを物体の表面に固定させ、亀裂を拡張させ、亀裂中の汚物を除去してから、補修液を充填し、排気膜２を貼合させる。このようにして、補修液の亀裂への侵入に寄与し、気泡の発生を低減させる。
【００３３】
本実施例では、該物体の表面亀裂を補修する工具は、さらに加熱装置を含む。
該加熱装置によって充填液が充填された亀裂位置の一部を加熱し、亀裂へ充填液を充填しても亀裂の気泡を排出できないとき、加熱装置を使用して気泡の箇所の一部を加熱する。亀裂の状態及び一部の温度を変えることにより、気泡が熱によって膨張し、さらに亀裂外へ排出する。
このように、操作が簡単であり、時間と労力が節約され、亀裂気泡の完全排出に寄与し、さらに亀裂補修の品質を向上させる。
【００３４】
（第１の実施例）
第１の実施例では、図２に示すように、二組の固定脚１５が設置され、二組の固定脚１５のそれぞれと工具ヘッド１４との距離が等しい。こうして二組の固定脚１５が物体の表面に固定されて、工具ヘッド１４によって亀裂に付勢する場合、二組の固定脚１５から発生した作用力が等しい。亀裂の両側とも力の平衡が取れ、亀裂コントローラが亀裂に対して二回破損を生じさせることが避けられ、構造の安定に有利である。
好ましくは、それぞれ工具ヘッド１４の両側に位置する、２つの固定脚１５が設置される。ある脆弱で変形しやすい位置に対し、亀裂コントローラによって、両側の力のアンバランスであることによる物体の亀裂変化の状況を効果的に解決でき、両側の力がのバランスがよくなり、より容易に工具ヘッド１４付勢の力を制御及び操作することができる。
【００３５】
（第２の実施例）
第２の実施例では、少なくとも２つの固定脚１５が設置される。各固定脚１５が工具の同一側に位置し、固定脚１５が工具ヘッド１４から離れる方向に沿って延伸する。
ここでは２つの固定脚１５が設置されても良く、その内、第１の固定脚１５が第２の固定脚１５と工具ヘッド１４との間に位置し、工具ヘッド１４の付勢の場合に、第２の固定脚１５が第１の固定脚１５によって支持される。これにより、工具ヘッド１４の付勢が相殺されて構造が安定になり、付勢に寄与する。
好ましくは、３つの固定脚１５が設置され、図３−４に示すように、１つの上記「第２の固定脚１５」及び２つの上記「第１の固定脚１５」が設置され、第１の固定脚１５が並んで設置され、第２の固定脚１５を支持する。
こうして、工具ヘッド１４が固定脚１５の一側に位置することにより、ある死角または距離狭い隅でも処理できるようになり、工具ヘッド１４の物体の表面の亀裂への接続が容易になり、さらに該亀裂コントローラの適用性及び機能性を向上させる。
【００３６】
ただし、伸縮部材１２が工具ヘッド１４と検出器１３の間に位置し、支持ホルダ１１上にガイドホールが設置される。該ガイドホールから伸縮部材１２が貫通し、該ガイドホールが伸縮部材１２をガイドする。
ガイドホールの延伸方向と固定脚１５が位置する平面とが垂直になり、ガイドホールと物体の表面とが垂直になるので、伸縮部材１２と物体の表面とが垂直になる。
同様に、伸縮部材１２から工具ヘッド１４に対して付勢した力も物体の表面に垂直になり、これにより、付勢の傾斜による亀裂破損が避けられ、伸縮部材１２の操作に要する力が低減され、時間と労力を節約することに寄与する。
【００３７】
（第３の実施例）
第３の実施例では、伸縮部材１２が支持ホルダ１１と検出器１３の間に位置する。
ここでは、支持ホルダ１１が支持柱１７、クロスメンバー１８及びハンドル１９を含む。図５−６に示すように、支持柱１７はクロスメンバー１８を支持するために固定脚１５と接続され、支持柱１７が垂直に設置されても良く、あるいは曲げられて設置されても良い。
クロスメンバー１８の一端が関節によって支持柱１７の端部に接続されて固定脚１５の位置から離れ、クロスメンバー１８の他端が関節によってハンドル１９に接続され、伸縮部材１２がクロスメンバー１８上に接続される。ここで「関節」の作用で２つの構造がヒンジで接続されて、弾性構造又はダンパー構造によって相対的な自由回転が制限される。
ハンドル１９によって横杆の支持柱１７に対する回転が制御され、伸縮部材１２の角度が変更可能であり、伸縮部材１２の物体の表面に対する角度、方向及び距離も調節でき、工具ヘッド１４の位置を制御しやすい。比較的大きい物体についても、固定脚１５を他の支持物上に固定させて該大きい物体に対して亀裂処理を行うことができるため、労力が節約され、使いやすく迅速に作業できる。
【００３８】
検出器１３及び工具ヘッド１４と検出器１３の間にさらに同じ作用の伸縮部材１２が設置されても良い。クロスメンバー１８と検出器１３の間の伸縮部材１２によって長さが大幅に変更でき、検出器１３と工具ヘッド１４の間の伸縮部材１２によって小幅調節もでき、亀裂に対するさらなる良好な制御が可能になる。
検出器１３の周りに固定フレームが設置されても良い。この場合、検出器１３及び工具ヘッド１４が固定され、構造がより安定になる。
【００３９】
伸縮部材１２が管状構造で内管及び外管を含み、外管が内管外に嵌設され、内管及び外管の間がねじによって接続され、外管の外側の端部につまみが設置され、該つまみを回転することによって、外管を内管に対して回転させ、伸縮部材１２を伸長及び短縮させる。
ここでは、内管及び外管中の一方が検出器１３に接続され、他方が工具ヘッド１４または支持ホルダ１１に接続され、外管の回転による工具ヘッド１４の回転を防止するために、伸縮部材１２の端部にヒンジ構造が設置される。
場合によっては、外管の端部に設置されてもよく、内管の端部に設置されてもよく、共に設置されてもよい。これにより、構造が簡単で、調節しやすく、時間と労力が節約され、作業効率の向上に寄与する。
【００４０】
（ある実施例）
ある実施例では、固定脚１５がチャック構造であり、該固定脚１５にチャックスイッチ１６が設置される。具体的には、該チャックスイッチ１６が亀裂コントローラの支持ホルダ１１に設置され、チャックスイッチ１６のオンオフによって、チャック構造の接続与分離を制御することができる。
このようにして、より簡便に物体の表面に吸着させ、作業効率及び速度を向上させるとともに、物理押圧方式に適合しない物体、例えばガラス等の脆弱物体に対してこのような工具を直接貼合させ、効果的に脆弱または壊れやすい物体の物理押圧による破損を防止することができる。
【００４１】
なお、工具ヘッド１４が真空チャックであって、場合によって針、鉤などであってもよい。ある他の態様では、工具ヘッド１４の端部に摺動ロッドが接続されてもよい。
摺動ロッドが摺動可能に検出器１３または伸縮部材１２に接続され、摺動方向が固定ホルダが位置する平面に平行し、摺動ロッドの端部に工具ヘッド１４が接続されることによって、固定脚１５を移動させる必要がなく、摺動ロッドを摺動させることで工具ヘッド１４の位置が調節でき、時間と労力が節約され、使いやすく高速である。
【００４２】
該物体の亀裂を補修する工具はさらに押し引きチャック３１を含む。該押し引きチャック３１がチャック構造であり、そのタングの位置リング３２及び錐３３が接続され、図８に示すように、リング３２によってチャックを引き、錐３３の先端がタングに接続され、チャックを押圧する。
これにより、錐３３の先端が比較的鋭く、大きい圧力を発生することができる。こうして、該押し引きチャック３１の押し引き作用によって、亀裂中の気泡の圧力差を発生させ、ひいては気泡を排出させる。
【００４３】
例えば、紫外線防止や特定の光線防止等の性質を有する補修液の場合、紫外線防止膜の上に補修液を充填し、例えば紫外線や特定の光線等の性質に起因する化学性質や物理性質の変化を防止する。
【００４４】
検出器１３にディスプレイ及び信号識別子が設置される。ここでは、ディスプレイに検出器１３が検出した圧力値を表示し、信号識別子が圧力値の圧力範囲を指示する。具体的には、検出器１３の内部にコントローラが設置され、コントローラ内に指示値または指示範囲が設定される。
圧力値が指示範囲より小さい場合に、信号識別子から第１の信号を送信し、
圧力値が指示範囲内にある場合に、信号識別子から第２の信号を送信し、
圧力値が指示範囲より大きい場合に、信号識別子から第３の信号を送信する。
【００４５】
さらに、該信号識別子には３つの信号ランプを含む。
圧力値が指示範囲より小さい場合に、圧力値が正常であり、緑色ランプが点灯し、
圧力値が指示範囲内にある場合に、圧力値が大きく、黄色ランプが点灯し、
圧力値が指示範囲より大きい場合に、圧力値が大きすぎ、赤色ランプが点灯し、警報が発せられる。
【００４６】
以上の本発明の具体的な実施形態については、本発明の保護範囲がここに限定されるものではなく、当業者であれば本発明が開示した技術範囲内で容易に想到し得る様々な変更や置換も、本発明の保護範囲内に含まれる。従って本発明の保護範囲は、特許請求の範囲で示される。
【００４７】
また、上記の各実施例における同一または類似な部分を互いに参照して、ある実施例では詳細に説明していない内容について他の実施例中の同一または類似な内容を参照することが可能であることは言うまでもない。
【００４８】
以上のように本出願の実施例を詳細に説明したが、上記実施例は例示的なもので、本出願の制限ではなく、当業者であれば本出願の範囲内で上記実施例に様々な変更、変化、置換及び変形を加えることが明らかである。
【符号の説明】
【００４９】
１１    支持ホルダ
１２    伸縮部材
１３    検出器
１４    工具ヘッド
１５    固定脚
１６    チャックスイッチ
１７    支持柱
１８    クロスメンバー
１９    ハンドル
２      排気膜
３１    押し引きチャック
３２    リング
３３    錐
【図１】
2020049645.tif 000003
【図２】
2020049645.tif 000004
【図３】
2020049645.tif 000005
【図４】
2020049645.tif 000006
【図５】
2020049645.tif 000007
【図６】
2020049645.tif 000008
【図７】
2020049645.tif 000009
【図８】
2020049645.tif 000010
【手続補正書】
【提出日】令和2年1月20日(2020.1.20)
【手続補正１】
【補正対象書類名】特許請求の範囲
【補正対象項目名】全文
【補正方法】変更
【補正の内容】
【特許請求の範囲】
【請求項１】
物体の表面に貼付するための排気膜（２）と、
前記排気膜（２）と貼合するための押し引きチャック（３１）と、
亀裂状態を制御するための亀裂コントローラと、を含む、物体の表面亀裂を補修する工具であって、
前記排気膜（２）が亀裂の箇所に位置し、充填液を前記亀裂内に密閉させ、
前記亀裂コントローラは、圧力を検出するための検出器（１３）、物体の表面に当接や接続するための工具ヘッド（１４）、支持ホルダ（１１）及び伸縮部材（１２）を含み、前記工具ヘッド（１４）は前記押し引きチャック（３１）を含み、
前記検出器（１３）の検出端が前記伸縮部材（１２）に接続され、前記検出器（１３）と前記伸縮部材（１２）の一方が着脱可能に前記工具ヘッド（１４）と接続され、他方が前記支持ホルダ（１１）に接続され、前記圧力は前記検出端に付勢される引張力または推力であり、
前記伸縮部材（１２）の長さを調節することによって、前記工具ヘッド（１４）を前記支持ホルダ（１１）にたいして移動させ、
前記支持ホルダ（１１）は前記工具ヘッド（１４）から離れた位置に二組の固定脚（１５）を有し、各前記固定脚（１５）ともに前記工具ヘッド（１４）との距離が等しく、または、少なくとも２つの前記固定脚（１５）が設置され、各前記固定脚（１５）ともに前記工具ヘッド（１４）の同一側に位置し、前記固定脚（１５）から離れる方向に沿って配列され、
前記検出器（１３）は前記圧力の圧力値を表示するためのディスプレイ及び前記圧力値の圧力範囲を指示するための信号識別子を含み、且つ内部にコントローラを含み、前記コントローラに前記指示範囲が設定され、前記信号識別子は第１の信号ランプ、第２の信号ランプ及び第３の信号ランプを含み、
前記コントローラは、前記圧力値が前記指示範囲より小さい場合に前記信号識別子に第１の信号を送信させて前記第１の信号ランプを点灯させ、前記圧力値が前記指示範囲内にある場合に前記信号識別子に第２の信号を送信させて前記第２の信号ランプを点灯させ、前記圧力値が前記指示範囲より大きい場合に前記信号識別子に第３の信号を送信させて前記第３の信号ランプを点灯させ、これにより警報を発することを特徴とする工具。
【請求項２】
前記伸縮部材（１２）が前記工具ヘッド（１４）と前記検出器（１３）の間に位置し、
前記支持ホルダ（１１）上に前記伸縮部材（１２）が進入するガイドホールが設置され、
前記ガイドホールが前記固定脚（１５）の所在の平面に垂直することを特徴とする請求項１に記載の工具。
【請求項３】
前記伸縮部材（１２）が前記支持ホルダ（１１）と前記検出器（１３）の間に位置し、
前記支持ホルダ（１１）が前記固定脚（１５）に接続される支持柱（１７）、クロスメンバー（１８）及びハンドル（１９）を含み、
前記ハンドル（１９）と前記クロスメンバー（１８）の間、前記クロスメンバー（１８）と前記支持柱（１７）の間ともに関節によって接続され、
前記伸縮部材（１２）が前記クロスメンバー（１８）上に接続されることを特徴とする請求項１に記載の工具。
【請求項４】
前記伸縮部材（１２）は内管及び前記内管外に嵌設される外管を含み、
前記内管が前記外管とねじによって接続され、
前記外管の端部につまみが設置され、
前記内管及び前記外管の一方が前記検出器（１３）に接続され、他端が前記工具ヘッド（１４）または前記支持ホルダ（１１）に接続されることを特徴とする請求項１に記載の工具。
【請求項５】
前記固定脚（１５）はチャック構造に設置され、
前記固定脚（１５）にチャックスイッチ（１６）が接続され、
前記チャックスイッチ（１６）によって前記固定脚（１５）の接続状態が制御されることを特徴とする請求項１に記載の工具。
【請求項６】
前記押し引きチャック（３１）のタングにリング（３２）及び錐（３３）が接続され、
前記錐（３３）の先端が前記タングに接続されることを特徴とする請求項１に記載の工具。
【手続補正２】
【補正対象書類名】明細書
【補正対象項目名】０００７
【補正方法】変更
【補正の内容】
【０００７】
本願は、物体の表面に貼付するための排気膜と、上記排気膜と貼合するための押し引きチャックと亀裂状態を制御するための亀裂コントローラを含み、
上記排気膜が亀裂の箇所に位置し、充填液を上記亀裂内に密閉させ、上記亀裂コントローラは圧力を検出するための検出器及び物体の表面に当接や接続するための工具ヘッドを含み、上記工具ヘッドは上記押し引きチャックを含み、
上記検出器の検出端は、着脱可能に工具ヘッドと接続される、物体の亀裂を補修する工具である。上記圧力は上記検出端に付勢される引張力または推力である。
【手続補正３】
【補正対象書類名】明細書
【補正対象項目名】０００８
【補正方法】変更
【補正の内容】
【０００８】
上記亀裂コントローラはさらに支持ホルダ及び伸縮部材を含み、
上記検出器は上記伸縮部材と接続され、
上記検出器と上記伸縮部材の内の一方は上記工具ヘッドと接続され、他方は上記支持ホルダと接続され、
上記伸縮部材の長さを調節することによって上記支持ホルダに対する上記工具ヘッドの移動を駆動させ、
上記支持ホルダは上記工具ヘッドから離れる固定脚を有する。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
二組の上記固定脚が設置され、それぞれの組の上記固定脚と上記工具ヘッドとの距離が一定であり、
または、少なくとも２つの上記固定脚が設置され、それぞれの上記固定脚がいずれも上記工具ヘッドの同一側に位置し、
上記固定脚から離れる方向に沿って配列される。
【手続補正６】
【補正対象書類名】明細書
【補正対象項目名】００１６
【補正方法】変更
【補正の内容】
【００１６】
上記検出器に圧力値を表示するためのディスプレイ及び圧力範囲を指示するための信号識別子が設置される。且つ上記検出器は内部にコントローラを含み、上記コントローラに上記指示範囲が設定され、上記信号識別子は第１の信号ランプ、第２の信号ランプ及び第３の信号ランプを含む。
上記コントローラは、上記圧力値が上記指示範囲より小さい場合に上記信号識別子に第１の信号を送信させて上記第１の信号ランプを点灯させ、上記圧力値が上記指示範囲内にある場合に上記信号識別子に第２の信号を送信させて上記第２の信号ランプを点灯させ、上記圧力値が上記指示範囲より大きい場合に上記信号識別子に第３の信号を送信させて上記第３の信号ランプを点灯させ、これにより警報を発する。